【手続補正書】
【提出日】令和1年8月22日(2019.8.22)
【手続補正１】
【補正対象書類名】特許請求の範囲
【補正対象項目名】全文
【補正方法】変更
【補正の内容】
【特許請求の範囲】
【請求項１】
口腔ヘルスケア器具のための半自由回転するクランクシャフトアクチュエータであって、
チャンバであって、主軸と、チャンバの近位端にあるバネ圧縮停止部を備える内面と、チャンバの遠位端にある出口とを有する、チャンバと、
該チャンバの前記近位端に近い張力位置と前記チャンバの前記遠位端に近い解放位置との間で前記主軸に沿って前記チャンバ内で作動可能なバネ荷重可能なプランジャであって、（ｉ）プランジャであって、流体密な関係において前記主軸に沿って前記チャンバの前記内面を行き来するように構成される、プランジャの遠位端を有する、プランジャと、（ｉｉ）第２の圧縮状態よりも大きい第１の圧縮状態を含む少なくとも２つの圧縮状態を有する、前記プランジャの近位端の上に位置付けられ且つ前記バネ圧縮停止部と前記プランジャの前記遠位端との間に位置付けられる、バネとを含み、前記バネが前記第１の圧縮状態から前記第２の圧縮状態に除荷されるのに応答して、前記バネは、前記プランジャを第１の速度で前記張力位置から前記解放位置に作動させ、該解放位置は、第１のアクチュエータ状態に応答する前記チャンバ内の端位置を含む、バネ荷重可能なプランジャとを含み、
クランク機構が、前記バネ荷重可能なプランジャを前記張力位置と前記解放位置との間で循環させるために前記バネ荷重可能なプランジャに連結され、前記クランク機構は、駆動軸について回転可能に駆動される少なくとも駆動ピンと、前記駆動軸について半自由に回転可能なクランクシャフトとを含み、
該クランクシャフトは、前記バネ荷重可能なプランジャに連結し、且つ、
（ｉ）前記クランクシャフトが前記プランジャを望ましい端位置から前記張力位置に引っ張るのに応答して前記バネを前記第１の圧縮状態に荷重することを含む第１の動作モードにある前記駆動ピン、及び
（ｉｉ）前記バネが前記第１の圧縮状態から前記第２の圧縮状態に除荷されるのに応答して前記プランジャを前記張力位置から前記解放位置に作動させることを含む第２の動作モードにある前記バネ荷重可能なプランジャを介して、
前記駆動軸について部分的に駆動させられる、
半自由回転するクランクシャフトアクチュエータ。
【請求項２】
前記第１の動作モードは、前記プランジャが最初に前記チャンバ内の前記望ましい端位置に配置されること、及び、前記駆動ピンが、前記クランクシャフトに押付力を加えるために前記クランクシャフトと係合して、前記バネ荷重可能なプランジャに連結される前記クランクシャフトに前記バネ荷重可能なプランジャを第２の速度で前記解放位置から前記張力位置に移動させることを含み、前記第２の速度は、前記第１の速度よりも小さい、請求項１に記載の半自由回転するクランクシャフトアクチュエータ。
【請求項３】
前記第２の速度は、前記バネを荷重及び除荷するための所望のデューティーサイクルを維持するのに十分な、更に、所望の量の空気及び／又は液体を入れ、引き続き放出するのに十分な速度を含む、請求項２に記載の半自由回転するクランクシャフトアクチュエータ。
【請求項４】
前記第２の動作モードは、前記プランジャが最初に前記チャンバ内で前記張力位置に位置付けられること、及び、前記バネ荷重可能なプランジャの前記バネが（ａ）前記プランジャを前記第１の速度で前記張力位置から前記解放位置に作動させること及び（ｂ）前記クランクシャフトに引張力を加えることに応答して、前記駆動ピンが前記クランクシャフトとの係合を失うことを含む、請求項１に記載の半自由回転するクランクシャフトアクチュエータ。
【請求項５】
前記第３の動作モードは、前記プランジャが前記望ましい端位置に到達する前に、最初に前記チャンバ内の前記望ましくない端位置に位置するようになること、及び、前記駆動ピンが、前記クランクシャフトに押付力を加えるために前記クランクシャフトと係合して、前記バネ荷重可能なプランジャに連結される前記クランクシャフトに前記バネ荷重可能なプランジャを前記第２の速度で前記望ましくない端位置から前記望ましい端位置に移動させ、次に、前記張力位置に更に移動させることを更に含む、請求項１に記載の半自由回転するクランクシャフトアクチュエータ。
【請求項６】
前記クランク機構は、前記クランクシャフトと前記バネ荷重可能なプランジャとの間に連結される接続部材を更に含む、請求項１に記載の半自由回転するクランクシャフトアクチュエータ。
【請求項７】
前記接続部材の第１の端が前記クランクシャフトの遠位端に回転可能に連結され、前記接続部材の第２の端が前記プランジャの近位端に回転可能に連結される、請求項６に記載の半自由回転するクランクシャフトアクチュエータ。
【請求項８】
前記駆動軸について回転可能に駆動させられる前記駆動ピンは、主面を有する円形駆動ギアを含み、前記駆動ピンは、前記主面から垂直に更に延ばされ、前記駆動軸から所与の径方向距離で前記円形駆動ギア上に配置される、請求項１に記載の半自由回転するクランクシャフトアクチュエータ。
【請求項９】
前記駆動軸について回転可能に駆動させられる前記駆動ピンは、主面を有する駆動レバークランクを含み、前記駆動ピンは、前記主面から垂直に更に延ばされ、前記駆動軸から所与の距離で前記駆動レバークランク上に配置される、請求項１に記載の半自由回転するクランクシャフトアクチュエータ。
【請求項１０】
前記駆動軸について回転可能に駆動させられる前記駆動ピンは、主面を有する従動円形駆動ギアと、一方向クラッチであって、前記駆動軸から所与の径方向距離で前記円形駆動ギア上に配置される前記主面から垂直に延びるピンに取り付けられる、一方向クラッチの第１の端を有する、一方向クラッチとを含み、該一方向クラッチの第２の端は、前記クランクシャフトとの一方向駆動係合のために構成される、請求項１に記載の半自由回転するクランクシャフトアクチュエータ。
【請求項１１】
請求項１に記載の半自由回転するクランクシャフトアクチュエータであって、前記チャンバの前記遠位端にある前記出口は、誘導先端を有するノズルを受けるように構成される、半自由回転するクランクシャフトアクチュエータと、
液体及び気体のうちの少なくとも一方を受け入れる少なくとも１つの貯槽と、
前記半自由回転するクランクシャフトアクチュエータの前記駆動軸を駆動させ且つ前記少なくとも１つの貯槽から前記チャンバに液体及び気体のうちの少なくとも一方を給送するよう動作可能なモータと、
該モータの動作を制御するコントローラとを含む、
口腔ヘルスケア器具。
【請求項１２】
口腔ヘルスケア器具のための半自由回転するクランクシャフト作動をもたらす方法であって、
チャンバであって、主軸と、チャンバの近位端にあるバネ圧縮停止部を備える内面と、チャンバの遠位端にある少なくとも１つの出口とを有する、チャンバを提供するステップと、
前記チャンバの前記近位端に近い張力位置と前記チャンバの前記遠位端に近い解放位置との間で前記主軸に沿って前記チャンバ内でバネ荷重可能なプランジャを作動させるステップであって、該バネ荷重可能なプランジャは、（ｉ）プランジャであって、流体密な関係において前記主軸に沿って前記チャンバの前記内面を行き来するように構成される、プランジャの遠位端を有する、プランジャと、（ｉｉ）第２の圧縮状態よりも大きい第１の圧縮状態を含む少なくとも２つの圧縮状態を有する、前記プランジャの近位端の上に位置付けられ且つ前記バネ圧縮停止部と前記プランジャの前記遠位端との間に位置付けられる、バネとを含み、前記バネが前記第１の圧縮状態から前記第２の圧縮状態に除荷されるのに応答して、前記バネは、前記プランジャを第１の速度で前記張力位置から前記解放位置に作動させ、該解放位置は、（ａ）第１のアクチュエータ状態に応答する前記チャンバ内の望ましい端位置と、（ｂ）前記第１のアクチュエータ状態と異なる第２のアクチュエータ状態に応答する、前記望ましい端位置と異なる、前記チャンバ内の望ましくない端位置とを含む、ステップと、
クランク機構を介して前記バネ荷重可能なプランジャを前記張力位置と前記解放位置との間で循環させるステップであって、前記クランク機構は、駆動軸について回転可能に駆動される少なくとも駆動ピンと、前記駆動軸について半自由に回転可能なクランクシャフトとを含み、該クランクシャフトは、前記バネ荷重可能なプランジャに連結し、（ｉ）前記クランクシャフトが前記プランジャを前記望ましい端位置から前記張力位置に引っ張ることに応答して前記バネを前記第１の圧縮状態に荷重することを含む第１の動作モードにある前記駆動ピン、及び（ｉｉ）前記バネが前記第１の圧縮状態から前記第２の圧縮状態に除荷されるのに応答して前記プランジャを前記張力位置から前記解放位置に作動させることを含む第２の動作モードにある前記バネ荷重可能なプランジャを介して、前記駆動軸について部分的に駆動させられる、ステップとを含む、
方法。
【請求項１３】
前記第１の速度は、所望の量の空気及び／又は液体、及び／又は空気及び液体の混合物を放出するために、前記チャンバ内で少なくとも最小の所要の圧力を創り出すのに十分な速度を含む、請求項１２に記載の方法。
【請求項１４】
前記第１の動作モードは、前記プランジャが最初に前記チャンバ内の前記望ましい端位置に配置されること、及び、前記駆動ピンが前記クランクシャフトに押付力を加えるために前記クランクシャフトと係合して、前記バネ荷重可能なプランジャに連結される前記クランクシャフトに前記バネ荷重可能なプランジャを第２の速度で前記解放位置から前記張力位置に移動させることを含み、前記第２の速度は、前記第１の速度よりも小さく、
前記第２の動作モードは、前記プランジャが最初に前記チャンバ内で前記張力位置に位置付けられること、及び、前記バネ荷重可能なプランジャの前記バネが（ａ）前記プランジャを前記第１の速度で前記張力位置から前記解放位置に作動させること及び（ｂ）前記クランクシャフトに引張力を加えることに応答して、前記駆動ピンが前記クランクシャフトとの係合を失うことを含み、
第３の動作モードは、前記プランジャが前記望ましい端位置に到達する前に、最初に前記チャンバ内の前記望ましくない端位置に位置するようになること、及び、前駆駆動ピンが、前記クランクシャフトに押付力を加えるために前記クランクシャフトと係合して、前記バネ荷重可能なプランジャに連結される前記クランクシャフトに前記バネ荷重可能なプランジャを前記第２の速度で前記望ましくない端位置から前記望ましい端位置に移動させ、次に、前記張力位置に更に移動させることを更に含む、
請求項１２に記載の方法。
【請求項１５】
前記第２の速度は、前記バネを荷重及び除荷するために所望のデューティーサイクルを維持するのに十分な、更に、所望の量の空気及び／又は液体を入力し、引き続き放出するのに十分な、速度を含む、請求項１４に記載の方法。